(57)【要約】【課題】金属製電柱であっても変圧器を絶縁状態に支持することができる変圧器絶縁支持スペーサを提供する。【解決手段】絶縁材料で形成される変圧器絶縁支持スペーサ１１は、腕金の固定ボルトが固定されるスペーサ座部１３を枠体１２に備え、Ｕ字溝１４と長穴溝１５に変圧器のボルト座金を固定するスペーサボルト１６を保持し、変圧器絶縁支持スペーサ１１を介して腕金に変圧器を取り付け、変圧器を絶縁状態で支持する。【選択図】図１
2007207608.tif 000002
【特許請求の範囲】
【請求項１】
電柱に取り付けられる腕金に変圧器を支持固定する際に用いられるスペーサであって、腕金に支持される腕金側支持部を一方の面に備えると共に、変圧器を保持固定する保持固定部を他方の面に備え、絶縁材料で形成されていることを特徴とする変圧器絶縁支持スペーサ。
【請求項２】
請求項１に記載の変圧器絶縁支持スペーサにおいて、
腕金には変圧器取付け用の固定ボルトが備えられると共に、変圧器には固定ボルトが固定されるボルト座部が備えられ、
腕金側支持部は、腕金の固定ボルトが固定されるスペーサ座部とされ、保持固定部は、ボルト座部を固定するスペーサボルト及びスペーサボルトが保持される保持部である
ことを特徴とする変圧器絶縁支持スペーサ。
【請求項３】
請求項２に記載の変圧器絶縁支持ペーサにおいて、
腕金側支持部であるスペーサ座部は、変圧器のボルト座部と同形状とされ、保持固定部であるスペーサボルトは、腕金の固定ボルトと同形状とされている
ことを特徴とする変圧器絶縁支持スペーサ。
【発明の詳細な説明】
【技術分野】
【０００１】
本発明は、電柱、特に金属製電柱に変圧器を絶縁状態で支持することができる変圧器絶縁支持スペーサに関する。
【背景技術】
【０００２】
従来から、電柱にはコンクリート製のものが用いられているが、搬入が困難な狭隘な場所や山間部等においては、鋼管柱や、コンクリート製の台柱と鋼管からなる複合柱等の継ぎ足し可能な複数の部材からなる金属製の電柱等が用いられることがある。
【０００３】
これらの電柱へ変圧器を取り付ける場合、例えば、金属製電柱に支持される円筒状等の変圧器は、金属製電柱の両側に直交する方向に取り付けられた一対の腕金上に載置され、その中間部と金属製電柱の間に必要に応じて木座を介在させて亜鉛メッキを施された鉄線等により複数回巻回されて固定される。
【０００４】
電気設備技術基準には、電路に施設する機械器具の鉄台及び金属製外箱には、所定の接地工事を施すことが規定されている。上述のように、金属製電柱に変圧器が電気的に接続された状態で載置される場合には、同技術基準により、高圧用又は特別高圧用ではＡ種接地工事（接地抵抗値１０Ω以下）が義務付けられている。ちなみに、電柱に備えられた腕金や変台に電気機器を付設するための取付け金具が提案されている（例えば、特許文献１参照）。
【０００５】
しかし、変圧器を載置する場合には、例えば、山間部等の岩盤の多い地域では、接地抵抗値１０Ω以下を確保するのが容易でないことが多く、そのために、通常の数倍の接地極を用いたり、通常よりも深く接地極を打ち込むような特殊工法を用いたり、変圧器からかなり離れた場所で接地しなければならないことがあった。そのような場合には、多額の接地工事費を要していた。
【０００６】
上記電気設備技術基準によれば、変圧器を絶縁状態に支持させれば、接地条件が大幅に緩和されるＢ種接地工事扱いでよいとされている。従って、絶縁措置を施した状態で電柱に変圧器を支持させれば、接地工事費の大幅な低減化が可能になる。
【０００７】
【特許文献１】特開平７−２６４７３８号公報
【発明の開示】
【発明が解決しようとする課題】
【０００８】
本発明は上記状況に鑑みてなされたもので、金属製電柱であっても変圧器を絶縁状態に支持することができる変圧器絶縁支持スペーサを提供することを目的とする。
【課題を解決するための手段】
【０００９】
上記目的を達成するための本発明の第１の態様は、電柱に取り付けられる腕金に変圧器を支持固定する際に用いられるスペーサであって、腕金に支持される腕金側支持部を一方の面に備えると共に、変圧器を保持固定する保持固定部を他方の面に備え、絶縁材料で形成されていることを特徴とする変圧器絶縁支持スペーサにある。
【００１０】
第１の態様では、腕金側支持部により一方の面を腕金に取り付け、保持固定部により他方の面に変圧器を取付けることで、電柱と変圧器の間に絶縁材料製のスペーサを介在させる。
【００１１】
本発明の第２の態様は、第１の態様の変圧器絶縁支持スペーサにおいて、腕金には変圧器取付け用の固定ボルトが備えられると共に、変圧器には固定ボルトが固定されるボルト座部が備えられ、腕金側支持部は、腕金の固定ボルトが固定されるスペーサ座部とされ、保持固定部は、ボルト座部を固定するスペーサボルト及びスペーサボルトが保持される保持部であることを特徴とする変圧器絶縁支持スペーサにある。
【００１２】
第２の態様では、スペーサ座部に腕金の固定ボルトを固定して一方の面を腕金に固定し、変圧器のボルト座部にスペーサボルトを固定して変圧器を他方の面に固定し、電柱と変圧器の間に絶縁材料製のスペーサを介在させる。
【００１３】
本発明の第３の態様は、第２の態様の変圧器絶縁支持スペーサにおいて、腕金側支持部であるスペーサ座部は、変圧器のボルト座部と同形状とされ、保持固定部であるスペーサボルトは、腕金の固定ボルトと同形状とされていることを特徴とする変圧器絶縁支持スペーサにある。
【００１４】
第３の態様では、腕金に変圧器を直接固定する要領でスペーサを介在させることができる。
【発明の効果】
【００１５】
本発明の変圧器絶縁支持スペーサは、金属製電柱であっても変圧器を絶縁状態に支持することができる変圧器絶縁支持スペーサとなる。
【発明を実施するための最良の形態】
【００１６】
図１には本発明の一実施形態例に係る変圧器絶縁支持スペーサの外観、図２には変圧器絶縁支持スペーサの正面視（変圧器側から見た状態）、図３には変圧器絶縁支持スペーサの裏面視（電柱側から見た状態）、図４には変圧器の固定状況の説明、図５には変圧器絶縁支持スペーサを用いた支持状況の断面視、図６には変圧器を固定した状態の断面視を示してある。
【００１７】
図４に基づいて変圧器の取り付けについて説明する。
【００１８】
図に示すように、例えば、金属製の電柱１には、変圧器２を取り付けるための腕金３が設けられ、腕金３は上下方向に延びる固定板４がバンド５で電柱１に固定されている。固定板４には長穴６が形成され、長穴６には固定ボルト７が保持されている。腕金３の固定ボルト７により変圧器絶縁支持スペーサ１１が固定される。変圧器２には固定ボルト７が固定される形状のボルト座部８が備えられ、変圧器２は腕金３の高さに吊り上げられて変圧器絶縁支持スペーサ１１を介して腕金３に固定される。変圧器絶縁支持スペーサ１１は絶縁材料で形成されている。絶縁材料としては、例えば、アルミナ等の焼結材やガラス繊維材、各種樹脂、ゴム等が用いられる。
【００１９】
図１乃至図３に基づいて変圧器絶縁支持スペーサ１１を説明する。
【００２０】
変圧器絶縁支持スペーサ１１は腕金３（図４参照）の固定板４（図４参照）と略同形状の矩形型で断面コ字型の枠体１２が備えられ、枠体１２の腕金３（図４参照）側、即ち、裏側（特に、図３参照）には腕金側支持部としてのスペーサ座部１３が設けられている。スペーサ座部１３は変圧器２（図４参照）のボルト座部８（図４参照）と同形状とされている。
【００２１】
枠体１２の変圧器２（図４参照）側、即ち、表側（特に、図２参照）には保持固定部の保持部としてのＵ字溝１４及び長穴溝１５が形成されている。Ｕ字溝１４及び長穴溝１５には保持固定部としてのスペーサボルト１６がそれぞれ保持され、スペーサボルト１６はナット１７（図５参照）により変圧器２（図４参照）のボルト座部８（図４参照）を固定するようになっている。スペーサボルト１６は腕金３（図４参照）の固定ボルト７（図４参照）と同形状とされている。
【００２２】
上記構成の変圧器絶縁支持スペーサ１１を用いた変圧器２の腕金３への固定状況の詳細を図５、図６に基づいて説明する。
【００２３】
電柱１に固定された腕金３の固定板４の長穴６には固定ボルト７が保持され、上下２箇所の固定ボルト７を変圧器絶縁支持スペーサ１１のスペーサ座部１３に挿入する。固定ボルト７を長穴６に対して位置調整することにより、変圧器絶縁支持スペーサ１１のスペーサ座部１３との高さ位置を調整する。固定ボルト７にはナット９が設けられ、ナット９を締め付けることにより、座金１０を介してスペーサ座部１３が固定ボルト７により腕金３の固定板４に固定される。
【００２４】
変圧器絶縁支持スペーサ１１のＵ字溝１４及び長穴溝１５にはスペーサボルト１６が保持されている。変圧器２が腕金３の高さに吊り上げられ、上下２箇所のスペーサボルト１６を変圧器２のボルト座部８に挿入する。スペーサボルト１６を長穴溝１５に対して位置調整することにより、変圧器２の種類毎に異なるボルト座部８の位置に対応させる。スペーサボルト１６のナット１７を締め付けることにより、座金１８を介してボルト座部８がスペーサボルト１６により変圧器絶縁支持スペーサ１１に固定される。即ち、電柱１に固定された腕金３に変圧器絶縁支持スペーサ１１を介して変圧器２が取り付けられる。
【００２５】
このため、絶縁材料製の変圧器絶縁支持スペーサ１１を介して変圧器２が電柱１に取り付けられることになり、変圧器２を絶縁状態に支持させることが可能になり、金属製の電柱１であっても、接地条件が大幅に緩和されるＢ種接地工事扱いとすることが可能になる。従って、接地工事費の大幅な低減化が可能になる。また、スペーサ座部１３は、変圧器２のボルト座部８と同形状とされ、スペーサボルト１６は、腕金３の固定ボルト７と同形状とされているので、腕金３に変圧器２を直接固定する要領で変圧器絶縁支持スペーサ１１を介在させることができる。
【産業上の利用可能性】
【００２６】
本発明は、電柱、特に金属製電柱に変圧器を絶縁状態で支持することができる変圧器絶縁支持スペーサの産業分野で利用することができる。
【図面の簡単な説明】
【００２７】
【図１】本発明の一実施形態例に係る変圧器絶縁支持スペーサの外観図である。
【図２】変圧器絶縁支持スペーサの正面図である。
【図３】変圧器絶縁支持スペーサの裏面図である。
【図４】変圧器の固定状況の説明図である。
【図５】変圧器絶縁支持スペーサを用いた支持状況の断面図である。
【図６】変圧器を固定した状態の断面図である。
【符号の説明】
【００２８】
１  電柱
２  変圧器
３  腕金
４  固定板
５  バンド
６  長穴
７  固定ボルト
８  ボルト座部
９、１７  ナット
１０、１８  座金
１１  変圧器絶縁支持スペーサ
１２  枠体
１３  スペーサ座部
１４  Ｕ字溝
１５  長穴溝
１６  スペーサボルト
【図１】
2007207608.tif 000003
【図２】
2007207608.tif 000004
【図３】
2007207608.tif 000005
【図４】
2007207608.tif 000006
【図５】
2007207608.tif 000007
【図６】
2007207608.tif 000008